(57)【要約】【課題】  両手を使ってシャンプー後の頭髪をほぐしながら乾燥させたり、ほぐされた頭髪の状況を確認しながら整えることを可能ならしめるミラー付扇風機を提供する。【解決手段】  ミラー付扇風機１を、固定、かつ首振り可能なモータを備え、このモータのモータハウジングにファンガード４が取付けられ、このファンガード４の内部に、前記モータにより回転されるファン５が収容されると共に、前記ファンガード４の前部であって、かつ径方向の中心位置に着脱自在なミラーユニット１０を装着してなる構成とする。【選択図】        図１
0003101612.tif 000002
【実用新案登録請求の範囲】
【請求項１】
固定、かつ首振り可能なモータを備え、このモータにファンガード(4)が取付けられ、このファンガード(4)の内部に、前記モータにより回転されるファン(5)が収容されると共に、前記ファンガード(4)の前部、かつ径方向の中心位置に着脱自在なミラーユニット(10)が装着されてなることを特徴とするミラー付扇風機。
【請求項２】
固定、かつ首振り可能なモータを備え、このモータにファンガード(4)が取付けられ、このファンガード(4)の内部に、前記モータにより回転されるファン(5)が収容されると共に、前記ファンガード(4)の前部、かつ径方向の中心位置に着脱自在に装着される扇風機用のミラーユニットであって、前記ファンガード(4)の前部、かつ径方向の中心位置に着脱自在に装着される円板状の基台部材(11)と、この基台部材(11)の前面側に固着されたミラー(12)と、この基台部材(11)に取付けられ、前記ミラー(12)を覆う開閉自在なミラー保護カバー(13)とからなることを特徴とする扇風機用のミラーユニット。
【請求項３】
前記ミラー保護カバー(13)は、透明な素材から製造されてなることを特徴とする請求項２に記載の扇風機用のミラーユニット。
【考案の詳細な説明】
【技術分野】
【０００１】
本考案は、ミラー付扇風機および扇風機用のミラーユニットに係り、より詳しくは、両手を用いてシャンプー後の頭髪をほぐしながら乾燥させたり、ほぐされた頭髪を整えることを可能ならしめるようにしたミラー付扇風機および扇風機用のミラーユニットに関するものである。
【背景技術】
【０００２】
周知のとおり、人々はヘアドライヤーを用いてシャンプー後の頭髪をほぐしながら乾燥させたり、またほぐされた頭髪を整えているが、そのような場合にはミラーにより頭髪の状況を確認する必要がある。つまり、シャンプー後の頭髪を乾燥させたり、また整える場合にはミラーを用意しなければならず、何かと気ぜわしい現代人にとっては極めて煩わしいことである。ところで、ミラーを用意する必要をなくするようにした、ヘアドライヤーが知られている。以下、この従来例に係るヘアドライヤーの構成を説明する。
【０００３】
上記従来例に係るヘアドライヤーは、ヘアドライヤーに光の反射を利用して人の姿や物の像を映し出す鏡（以下、ミラーという。）を取付けることにより、新たにハンドミラーを持ちだすまでもなく、前髪等の一連の整髪作業の中で、死角となる後髪の整髪状況までも見ながら整髪することを可能にしたものである。より具体的には、ミラーを取付ける台をヘアドライヤーの握りの部分以外の部分と一体加工し、ミラーを取付ける台の上にミラーを取付けたものである（例えば、特許文献１参照）。
【特許文献１】特開平８−３１７８１３号公報
【考案の開示】
【考案が解決しようとする課題】
【０００４】
上記従来例に係るヘアドライヤーによれば、ハンドミラーを用意するまでもなく、前髪等の一連の整髪作業の中で、死角となる後髪の整髪状況までも見ながら整髪することができるので、極めて有用であると考えられる。ところが、ヘアドライヤーを持たなければならず、片手しか使用することできないから頭髪を整えるのに長時間を要するという問題がある。つまり、頭髪を整える場合のみならず、シャンプー後の頭髪を乾燥させる場合にあっても両手が使用できることが好ましい。そのため、気候が温暖な時期では、風量が多く、しかも両手が使用できることもあって、多くの人々が扇風機によりシャンプー後の頭髪をほぐしながら乾燥させている。しかしながら、乾燥後には、少なくともほぐれた頭髪を手櫛や櫛で整える必要がある。従って、ミラーが必要であるから、予めハンドミラーを用意しておくか、またはミラーのある場所に移動しなければならず面倒である。つまり、ハンドミラーを用意するまでもなく、またミラーのある場所に移動するまでもなく、乾燥後に頭髪の状況を確認しながら頭髪を整えることができれば好都合である。
【０００５】
従って、本考案の目的は、両手を用いてシャンプー後の頭髪をほぐしながら乾燥させたり、ほぐされた頭髪を確認しながら整えることを可能ならしめるミラー付扇風機および扇風機用のミラー装置を提供することである。
【課題を解決するための手段】
【０００６】
本考案は、上記実情に鑑みてなされたものであって、従って上記課題を解決するために、本考案の請求項１に係るミラー付扇風機の構成は、固定、かつ首振り可能なモータを備え、このモータにファンガード(4)が取付けられ、このファンガード(4)の内部に、前記モータにより回転されるファン(5)が収容されると共に、前記ファンガード(4)の前部、かつ径方向の中心位置に着脱自在なミラーユニット(10)が装着されてなることを特徴とするものである。
【０００７】
本考案の請求項２に係る扇風機用のミラーユニットの構成は、固定、かつ首振り可能なモータを備え、このモータにファンガード(4)が取付けられ、このファンガード(4)の内部に、前記モータにより回転されるファン(5)が収容されると共に、前記ファンガード(4)の前部、かつ径方向の中心位置に着脱自在に装着される扇風機用のミラーユニットであって、前記ファンガード(4)の前部、かつ径方向の中心位置に着脱自在に装着される円板状の基台部材(11)と、この基台部材(11)に固着されたミラー(12)と、この基台部材(11)に取付けられ、前記ミラー(12)を覆う開閉自在なミラー保護カバー(13)とからなることを特徴とするものである。
【０００８】
本考案の請求項３に係る扇風機用のミラーユニットの構成は、請求項２に記載の扇風機用のミラーユニットにおいて、前記ミラー保護カバー(13)は、透明な素材から製造されてなることを特徴とするものである。
【考案の効果】
【０００９】
本考案の請求項１に係るミラー付扇風機によれば、扇風機のファンガードの前部、かつ径方向の中心位置に装着されているミラーユニットを見て、両手で頭髪をほぐしながらファン風により乾燥させることができる。また、乾燥後の頭髪の状況を確認しながら、例えば手櫛や櫛により能率良く頭髪を整えることができる。
【００１０】
本考案の請求項２に係る扇風機用のミラーユニットによれば、扇風機のファンガードの前部、かつ径方向の中心位置に装着されているセンターガードマークを取外し、このセンターガードマークを取外した位置にミラーユニットを取付けるだけで、既存の扇風機をミラー付扇風機にすることができる。また、ミラーユニットには開閉自在なミラー保護カバーが取付けられているので、不使用時に何らかの原因により扇風機が倒れたとしても、ミラーの損傷トラブルを少なくすることができる。
【００１１】
本考案の請求項３に係る扇風機用のミラーユニットによれば、ミラーユニットに設けられているミラー保護カバーが透明な素材から製造されている。従って、このミラーユニットが取付けられているミラー付扇風機では、ファンガードの前部、かつ径方向の中心位置にミラーが取付けられていることが容易に分かるから、このミラー付扇風機は普通の扇風機と相違する扇風機であるということを人々に視認させることができるという販売上の宣伝効果を得ることができる。
【考案を実施するための最良の形態】
【００１２】
以下、本考案の形態に係るミラー付扇風機を、このミラー付扇風機がマイナスイオン発生装置を備えてなる扇風機である場合を例として、添付図面を参照しながら説明する。
図１は本考案の形態に係り、ミラーユニットのミラー保護カバーが開けられている状態を示すミラー付扇風機の正面図である。図２はミラーユニットの正面図であり、図３はミラーユニットの側面図であり、図４はミラーユニットを下側から見た図であり、図５はミラーユニットの背面図であり、そして図６はミラー保護カバーが開けられている状態を示すミラーユニットの正面図である。
【００１３】
図１に示す符号１は、マイナスイオン発生装置（図示省略）を備えたミラー付扇風機であって、このミラー付扇風機１は、ベース２ａと、このベース２ａに立設された伸縮自在な支柱２ｂとからなるスタンド２を備えている。このスタンド２の支柱２ｂの頂部には、固定、かつ首振り可能なモータ（図示せず）が配設されており、このモータのモータハウジングにファンガード４が取付けられている。このファンガード４は、前記モータハウジングに取付けられる後面ガードと、この後面ガードに取付けられる前面ガードとからなり、周知の構成になるものである。そして、このファンガード４の内部に、前記モータで回転させるファン５が収容されると共に、このファンガード４の前部、かつ径方向の中心位置に、後述する構成になるミラーユニット１０が取付けられている。つまり、前記モータはファンガード４の背面に配設され、ミラーユニット１０の後方に位置する。
【００１４】
なお、マイナスイオンを発生させながらシャンプー後の髪を乾燥させると、静電気の発生の抑制効果と水分浸透効果とにより、翌朝スタイリングし易い髪になるという効果が得られることが分かり、現在マイナスイオン発生装置を備えた扇風機やヘアドライヤーはヒット商品になっている。
【００１５】
前記ミラーユニット１０は、図２乃至図６に示すように構成されている。即ち、前記ファンガード４の前部、かつ径方向の中心位置に着脱自在に装着される円板状の基台部材１１を備えている。この基台部材１１の裏面側の構成は、普通の扇風機のファンガードに装着されるセンターガードマークの裏面側の構成とほぼ同じ構成になっている。より詳しくは、図３乃至図５に示すように、基台部材１１の裏面に、頂部において相対する方向に突出する係止爪を有する一対の着脱爪１１ｂが突設されている。この一対の着脱爪１１ｂは、前記ファンガード４の前部、かつ径方向の中心位置に設けられてなる爪係止穴（図示省略）に嵌着されることにより係止されるものである。また、この基台部材１１の裏面の３個所に、前記ファンガード４の前部、かつ径方向の中心位置に設けられてなる穴（図示省略）に嵌挿される回り止め用突起１１ｃが突設されている。
【００１６】
また、前記基台部材１１には、円形状のミラー１２が一体に組み込まれると共に、このミラー１２は、後述するミラー保護カバー１３によって覆われるように構成されている。
即ち、このミラー保護カバー１３は、ファンガード４に取付けられたときに、前記基台部材１１の下側となる位置に設けられたヒンジ１４を介して開閉されるように構成されている。そして、このミラー保護カバー１３のヒンジ取付け位置と１８０°位相が相違する位置にカバー係止爪１３ａが設けられており、このカバー係止爪１３ａが基台部材１１の表面の上側となる位置に設けられてなるカバー係止部１１ａに係止されることにより閉状態で維持されるように構成されている。このミラー保護カバー１３は、透明なプラスチックから製造されている。
【００１７】
ところで、前記ミラー保護カバー１３は、不使用時において何らかの原因によりミラー付扇風機１が倒れたとしても、ミラー１２の損傷トラブルを少なくすることを狙いとするものであるから、このミラー保護カバー１３を透明にする必要がない。しかしながら、このミラー保護カバー１３を透明にすることにより、ファンガード４の前部、かつ径方向の中心位置にミラー１２が取付けられていることが分かる。従って、このミラー付扇風機１が普通の扇風機と相違する扇風機（何故ミラーが付いているのだろう？）であるということを、このミラー付扇風機１を見た人々に視認させることができるという販売上の宣伝効果を得ることができる。
【００１８】
なお、このミラー保護カバー１３が閉じられているときには、カバー係止爪１３ａが設けられている付近の表面を押すと、このミラー保護カバー１３の係止状態が解除されるように構成されている。また、このミラー保護カバー１３が開けられているときには、カバー係止爪１３ａをカバー係止部１１ａに係止させるだけで、このミラー保護カバー１３の閉状態が維持されるように構成されている。ところで、このミラー保護カバー１３は、上記のとおり、前記基台部材１１の下側となる位置に設けられたヒンジ１４を介しての上下回動により開閉されるように構成されている。しかしながら、ミラー保護カバー１３は左右回動により開閉されるように構成されていてもよいのであるから、このミラー保護カバー１３の開閉方向に限定されるものではない。また、このミラー保護カバー１３は必ず設けなければならないというものではなく、設けられていなくても所期の目的を達成することができる。
【００１９】
以下、上記構成になるミラー付扇風機１の作用態様を説明する。即ち、このミラー付扇風機１によれば、ファンガード４の前部、かつ径方向の中心位置に装着されてなるミラーユニット１０のミラー１２を見て、両手で頭髪をほぐしながらシャンプー後の頭髪をファン風により乾燥させることができる。また、ほぐされた乾燥後の頭髪の状況を確認しながら、例えば手櫛や櫛により能率良く整えることができる。
【００２０】
また、既存の扇風機のファンガードの前部、かつ径方向の中心位置に装着されているセンターガードマークを取外し、そして、このセンターガードマークを取外した位置にミラーユニット１０を装着するだけで、既存の扇風機をミラー付扇風機にすることができる。
また、ミラーユニット１０には開閉自在なミラー保護カバー１３が取付けられているので、不使用時に何らかの原因によりこのミラー付扇風機１が倒れたとしても、ミラー１２の損傷トラブルを少なくすることができる。
【００２１】
以上の形態においては、本考案に係る技術的思想を、マイナスイオン発生装置を備えてなる扇風機に対して適用した場合を例として説明した。しかしながら、マイナスイオン発生装置を備えていない普通の扇風機に対して適用しても、それなりの効果を得ることができるから、マイナスイオン発生装置を備えた扇風機の形態に限定されるものではない。
【図面の簡単な説明】
【００２２】
【図１】本考案の形態に係り、ミラー装置のミラー保護カバーが開けられている状態を示すミラー付扇風機の正面図である。
【図２】本考案の形態に係り、扇風機用のミラーユニットの正面図である。
【図３】本考案の形態に係り、扇風機用のミラーユニットの側面図である。
【図４】本考案の形態に係り、扇風機用のミラーユニットを下側から見た図である。
【図５】本考案の形態に係り、扇風機用のミラーユニットの背面図である。
【図６】本考案の形態に係り、ミラー保護カバーが開けられている状態を示すミラーユニットの正面図である。
【符号の説明】
【００２３】
１…ミラー付扇風機
２…スタンド，２ａ…ベース，２ｂ…支柱
４…ファンガード
５…ファン
１０…ミラーユニット
１１…基台部材，１１ａ…カバー係止部，１１ｂ…着脱爪，１１ｃ…回り止め用突起
１２…ミラー
１３…ミラー保護カバー，１３ａ…カバー係止爪
１４…ヒンジ
【図１】
0003101612.tif 000003
【図２】
0003101612.tif 000004
【図３】
0003101612.tif 000005
【図４】
0003101612.tif 000006
【図５】
0003101612.tif 000007
【図６】
0003101612.tif 000008